(57)【特許請求の範囲】
【請求項１】
可塑性物質を押出成形して硬化させた成形板体において、薄隔壁を介して、細孔の配列の中に大きさの異なる細孔を配することにより、孔模様を一定方向へ向けて貫通形成し、その薄隔壁面に酸化チタン層を形成したことを特徴とする多孔成形体。
【請求項２】
大きさの異なる細孔を網目状に連設したことを特徴とする請求項１に記載の多孔成形体。
【請求項３】
前記薄隔壁の前面に、陶器用顔料の焼付けにより色模様を形成したことを特徴とする請求項１又は２に記載の多孔成形体。
【請求項４】
前記成形板体を、内側に格子を有する額枠の各格子の間に嵌装して、掛吊り可能に形成したことを特徴とする請求項１〜３のいずれかに記載の多孔成形体。
【請求項５】
前記成形板体は、動物や、建造物から選択した形状の装飾用置物としてあることを特徴とする請求項１〜４のいずれかに記載の多孔成形体。
【発明の詳細な説明】
【技術分野】
【０００１】
本発明は、多孔成形体に係り、セラミック等の成形体に、多数の細孔を同一方向に向けて貫通形成し、その薄隔壁面に酸化チタン層を形成した、消臭具としての多孔成形体に関する。
【背景技術】
【０００２】
従来、多孔セラミックとして、例えば椰子殻活性炭、木炭などが知られ、消臭材として使用されている。
【発明の開示】
【発明が解決しようとする課題】
【０００３】
前記椰子殻活性炭や木炭は、形状が不定形であり、必ずしも気流が前後方向に通過しない。また容易に細片や粉末となり、取扱いが困難である。更に汚れが付着すると、除去しにくいという難点がある。
本発明は、任意の形状にすることができ、消臭・殺菌作用があり、美的に吊支することができ、また水洗をしても、消臭・殺菌効果が変ることのない、多孔成形体を提供することを目的としている。
【課題を解決するための手段】
【０００４】
本発明の具体的な内容は、次の通りである。
【０００５】
（１）可塑性物質を押出成形して硬化させた成形板体において、薄隔壁を介して、細孔の配列の中に大きさの異なる細孔を配することにより孔模様を一定方向へ向けて貫通形成し、その薄隔壁面に酸化チタン層を形成した多孔成形体。
【０００６】
（２）大きさの異なる細孔を網目状に連設した前記（1）に記載の多孔成形体。
【０００７】
（３）前記薄隔壁の前面に、陶器用顔料の焼付けにより色模様を形成した前記（1）又は（2）に記載の多孔成形体。
【０００８】
（４）前記成形板体を、内側に格子を有する額枠の各格子の間に嵌装して、掛吊り可能に形成した前記（1）〜（3）のいずれかに記載の多孔成形体。
【０００９】
（５）前記成形板体は、動物や、建造物から選択した形状の装飾用置物としてある前記（1）〜（4）のいずれかに記載の多孔成形体。
【発明の効果】
【００１０】
本発明によると、次のような効果が奏せられる。
【００１１】
前記(1)に記載の多孔成形体は、成形板体に多数形成された細孔の薄隔壁に、酸化チタン層が形成されており、細孔は同一方向を向いて貫通しているので、空気の流通性に優れ、空気との接触面積が大きく、例えばトイレや犬小屋などに置くと、空気に含まれている臭気は、細孔薄隔壁の酸化チタンの触媒作用によって分解され、短時間で消臭される。また風呂場等に置いて、カビ菌の除菌をすることができる。主たる細孔部分に、大きさの異なる異細孔を配して孔模様状としてあるので、模様が判然として装飾性に優れ、かつ１工程で孔模様を表現することができる。
【００１２】
前記（2）に記載の多孔成形体は、細孔が、大きさの異なる不定形の細孔であり、網目状に連結してあるので、網目模様として柔らかな感じとなる。
【００１３】
前記(3)に記載の多孔成形体は、薄隔壁の前面に、陶器用顔料の焼付けにより色模様を形成してあるので、色落ちがなく、消臭作用があり、装飾品として使用することができる。      
【００１４】
前記（4）に記載の多孔成形体は、内側に格子を有する額枠の各格子の間に、成形板体をそれぞれ嵌装して、掛吊り可能に形成してあるので、成形板体の面積が小さくても、全体の面積を大として、任意の個所に吊支することができる。
【００１５】
前記（5）に記載の多孔成形体は、動物、建造物から選択した形状の装飾用置物としてあるので、室内に飾物として置き、室内の消臭をすることができる。
【発明を実施するための形態】
【００１６】
本発明の実施の形態例を、図面を参照して説明する。
【実施例１】
【００１７】
図１において、多孔成形体(1)は、可塑性物質の一例である陶土を押出成形することにより、薄隔壁(2)を介して、前後方向を向く多数の大きさを異にする細孔(3)（3a）（3b）を並列配置した棒体を、任意の厚さに切断して、成形板体(6)としたものである。
【００１８】
成形板体(6)の寸法は、例えば１辺５cm〜20cmなど、成形機の大きさによって選択される。細孔(3)(3a）(3b）は、細かであり多数あるので、その薄隔壁(2)の総面積は大である。成形板体(6)の主たる細孔(3)の配列の中に、大きさの異なる細孔(3a)（3b）を混在させて、孔模様(5)が形成されている。
【００１９】
成形板体(6)の厚さは、用途によって、２mm〜３cm等任意に設定することができる。成形板体(6)の正面形状は、図１では方形であるが、三角形、丸形、動物形、その他の具象形等が任意に選択される。
薄隔壁(2)の厚さは、薄い方が好ましいが、素材が陶土等の可塑性物質であるため、崩れないように、例えば0.5mm〜１mmの範囲で設定する。
【００２０】
細孔(3)(3a)（3b）は、表面積を大とするために小さい方が好ましいが、例えば１mm〜２mm等任意に設定される。細孔(3)(3a)（3b）の正面形状は、図１では方形であるが、丸孔、三角形、六角形、ハート形、千鳥形など任意である。
【００２１】
成形板体(6)は、素焼をした後、酸化チタン分散溶液の中に浸して、細孔(3)(3a)（3b）内部の薄隔壁(2)の表面に、図２に示すように、酸化チタン微粉末層(4)を形成し、セラミックの多孔成形体(1)としてある。このままでも使用することができるが、剥離しないようにするためには、２通りの手段が採用される。
【００２２】
その１っは、前記酸化チタン微粉末分散溶液を付着させた後、窯炉において180℃〜800℃に加熱する。あるいは、酸化チタン微粉末分散溶液中にアクリル樹脂を添加しておき、付着させてからアクリル樹脂を架橋反応させて、硬化させる。酸化チタン層(4)の厚さは15μ〜20μで十分である。
酸化チタン微粉末を陶土に混合して練り、押出し成形することも出来る。
【００２３】
酸化チタンは、正方結晶系のアナターゼ型（低温系）とルチル型（高温系）であれば、300ｎｍ〜400ｎｍの紫外線によって光触媒反応をし、強い親水性と強い酸化力とを発揮する。この触媒作用により、空気中の臭気の分解や、殺菌、防汚作用が生じる。使用については、アナターゼ型が好ましい。
【００２４】
酸化チタン分散液としては、例えばアナターゼ型微粉末を、アルコールと水の溶液中に分散させたものを使用する。酸化チタン分散液は、噴霧器により噴射するか、刷毛塗布や、浸漬等により、多孔成形体(1)に付着させて乾燥させる。
【００２５】
図３は、多孔成形体(1)の周囲に嵌装した額枠(7)の左側面を示す。額枠(7)の、前後枠(7a)(7b)の間に、多孔成形体(1)が細孔(3)を前後に向けて挟装されている。額枠(7)の上部に形成した掛吊部(7c)を、釘等に掛吊ることができる。額枠(7)の背面上下には、突体(7d)が設けられている。
【００２６】
図１に示す状態で、多孔成形体(1)を、例えばトイレの壁に掛けると、突体(7d)が壁面に当り、壁面と額枠(7)の間に間隙が生じる。すると、多孔成形体(1)の前面と背面とでは、気圧が異なる（気温の高い方が気圧が低い）ので、気圧の高い方から低い方へと、細孔(3)を通って空気が流通し、気流の中に含まれている臭気物質は、細孔(3)内の薄隔壁(2)における酸化チタンの触媒作用によって分解されて、消臭される。
【００２７】
酸化チタンは、光エネルギーによって、空気中の水分や酸素から、強力の酸化分解力を持つ働きを作り出し、酸化力で殺菌作用もあるので、空気中に浮遊しているカビ菌、その他の菌も殺菌される。
また空気中のガスなどの汚染物質も、酸化チタンの触媒作用によって分解される。更に、酸化チタンの親水性により、空気中の微細な埃も吸着される。
【００２８】
定期的に多孔成形体(1)を水洗すると、多孔成形体(1)に付着している汚れは、酸化チタンの親水性により水だけで除去されて、元通りに使用することができる。再使用する時には、直射日光に晒して、細孔(3)(3a)（3b）に紫外線を充分に当てる。
【実施例２】
【００２９】
図４は、多孔成形体(1)の実施例２の正面図である。前例と同じ部位には、同じ符号を付して説明を省略する。この実施例２では、多孔成形体(1)の前面の薄隔壁（2）の表面に、色模様(8)を形成してある。色模様(8)は、例えば陶器用の顔料で、手描き、型使用吹付け、捺染（シルクスクリーンを含む）等で染付けて焼付けられる。
【００３０】
これによって、多孔成形体(1)をトイレなどの壁に掛けると、飾額となり、和みを与えることができる。ここでいう色模様(8)とは、文字も含むものとする。この色模様(8)は、前記孔模様(5)と組合わせることができる。
【実施例３】
【００３１】
図５は、多孔成形体の実施例３の正面図である。前例と同じ部位には、同じ符号を付して説明を省略する。
この実施例３における成形板体(6)では、大きさの異なる細孔(3)(3a)（3b）が、網目状に広がり、かつ前面から後面方向にかけて、途中から大きさの異なる細孔(3)(3a)（3b）が重なって、前後に隣同士の細孔(3)(3a)（3b）が、部分的に連通して、あたかも網を数枚重ねたように見える。
【００３２】
これによって、細孔(3)(3a)（3b）の薄隔壁(2)の面積は著しく大となり、薄隔壁(2)に酸化チタン層(4)を形成すると、消臭効果が大きくなる。この実施例３の多孔成形体(1)の成形板体(6)は、正面も凹凸状になるため、踵の垢すり具等に使用することができる。また酸化チタン層(4)の触媒作用により、殺菌性に優れているので不潔になりにくい。
【実施例４】
【００３３】
図６は、多孔成形体の実施例４の正面図である。前例と同じ部位には、同じ符号を付して説明を省略する。図６において、額枠(7)の内側には、格子(7e)が設けられている。これによって、小型の成形板体(6)を、各格子(7e)の間に嵌装して用いることが出来る。
【００３４】
そのため、成形板体(6)の寸法が小さくても、全体として額枠(7)の面積を大とすることができる。また衝撃が加えられても、割れにくくなる。従って、例えば犬小屋の中に吊ったり、猫の寝床の下に敷いても、破損しにくい。
【実施例５】
【００３５】
図７は、多孔成形体(1)の実施例５の斜視図である。前例と同じ部位には、同じ符号を付して説明を省略する。この実施例では、成形板体(6)を、魚形の置物に形成した多孔成形体(1)である。
【００３６】
表面には、単色または多彩色模様を形成することができる。あるいは細孔(3)を、大きさの異なるウロコ形の孔模様にすることができる。置物としては、その他の動物形、建造物や乗物形、その他具象物形が選択される。
【００３７】
多孔成形体(1)を、略サイコロ状として、例えば植木鉢の側に置いてナメクジ、ダンゴ虫などを排除することができ、靴の中に入れると脱臭することができる。
籠や袋に入れて、犬小屋内に吊ったり、下駄箱の中、押入の中、トイレなどに吊ることもできる。また浴槽の中に入れて、湯垢等を除去することができる。
【００３８】
なお、本発明は、前記実施例に限定されるものではなく、目的に沿って適宜設計変更をすることができる。前記可塑性物質として、陶土に代えて、合成樹脂或いは溶融ガラスを使用することができる。成形については、押出成形の他に、型押成形も当然可能である。各実施例の部分を適宜組合わせることができる。
【産業上の利用可能性】
【００３９】
本発明による多孔成形体は、ペット用の消臭具としても使用することができる。
【図面の簡単な説明】
【００４０】
【図１】本発明の多孔成形体の実施例１の正面図である。
【図２】図１における多孔成形体の薄隔壁部分の拡大正面図である。
【図３】図１における額枠の一部断面を示す側面図である。
【図４】本発明の多孔成形体の実施例２の正面図である。
【図５】本発明の多孔成形体の実施例３の正面図である。
【図６】本発明の多孔成形体の実施例４の正面図である。
【図７】本発明の多孔成形体の実施例５の斜視図である。
【符号の説明】
【００４１】
(1)多孔成形体
(2)薄隔壁
(3)(3a)(3b)細孔
(4)酸化チタン層
(5)孔模様
(6)成形板体
(7)額枠
(7a)前枠
(7b)後枠
(7c)掛吊部
(7d)突体
(7e)格子
(8)色模様
【図１】
0004937534.tif 000002
【図２】
0004937534.tif 000003
【図３】
0004937534.tif 000004
【図４】
0004937534.tif 000005
【図５】
0004937534.tif 000006
【図６】
0004937534.tif 000007
【図７】
0004937534.tif 000008